(57)【要約】      （修正有）【課題】投影装置を設置した場合に、種々の調整操作を行うことなく、投影面上に画像を良好に投影することができるスクリーンを提供する。【解決手段】スクリーン部材４の上面６に、画像を投影する投影装置が設置される少なくとも一つの設置部１０と、前記画像が投影される投影面８とを備える。前記投影面を挟むようにして設置された二つの前記設置部を備える。前記スクリーン部材は、前記設置部から露出し、前記設置部に設置される前記投影装置に接触する熱伝導部と、前記スクリーン部材の下面から露出する放熱部とを有する高熱伝導部材からなる放熱部材を備える。【選択図】図１
2010139614.tif 000002
【特許請求の範囲】
【請求項１】
スクリーン部材の上面に、
画像を投影する投影装置が設置される少なくとも一つの設置部と、
前記画像が投影される投影面とを備えることを特徴とするスクリーン。
【請求項２】
前記投影面を挟むようにして設置された二つの前記設置部を備えることを特徴とする請求項１記載のスクリーン。
【請求項３】
前記スクリーン部材は、
前記設置部から露出し、前記設置部に設置される前記投影装置に接触する熱伝導部と、
前記スクリーン部材の下面から露出する放熱部とを有する高熱伝導部材からなる放熱部材を備えることを特徴とする請求項１または２記載のスクリーン。
【請求項４】
前記スクリーン部材は、
前記熱伝導部の周囲に形成された低熱伝導部材からなる第１の接触防止部材を備えることを特徴とする請求項３記載のスクリーン。
【請求項５】
前記スクリーン部材は、
前記放熱部の一部を覆う低熱伝導部材からなる第２の接触防止部材を備えることを特徴とする請求項３または４記載のスクリーン。
【発明の詳細な説明】
【技術分野】
【０００１】
本発明は、投影装置によって画像が投影されるスクリーンに関するものである。
【背景技術】
【０００２】
可搬性を有する平面状部材上に画像を投影する投影装置を設置し、当該平面状部材上に画像を投影することが知られている（例えば、特許文献１参照）。
【特許文献１】特開２００７−３１０１９４号公報
【発明の開示】
【発明が解決しようとする課題】
【０００３】
ところで、特許文献１記載の投影装置においては、当該平面状部材上に画像を投影するために、反射部材などを所定の位置に配置する必要があり、操作が煩雑であった。
【０００４】
本発明の課題は、投影装置を設置した場合に、種々の調整操作を行うことなく、投影面上に画像を良好に投影することができるスクリーンを提供することである。
【課題を解決するための手段】
【０００５】
本発明のスクリーンは、スクリーン部材の上面に、画像を投影する投影装置が設置される少なくとも一つの設置部と、前記画像が投影される投影面とを備えることを特徴とする。
【発明の効果】
【０００６】
本発明のスクリーンによれば、投影装置を設置した場合に、種々の調整操作を行うことなく、投影面上に画像を良好に投影することができる。
【発明を実施するための最良の形態】
【０００７】
以下、図面を参照して本発明の第１の実施の形態に係るスクリーンについて説明する。図１は、この実施の形態に係るスクリーン２の外観を示す斜視図である。図１に示すように、スクリーン２は、プラスチック等の低熱伝導部材からなる平板状のスクリーン部材４を備えている。このスクリーン部材４の上面６には、画像が投影される投影面８と、当該画像を投影面８へ向けて投射する投影装置２０（図２参照）が設置される設置部１０が設けられている。
【０００８】
白色の矩形状の領域である投影面８は、微細表面構造を有し投射方向に最適化されスクリーンとして用いられる投影面である。なお、この構造を簡略化して白色塗装等で投射画像を見やすくしたものでもよい。投影装置２０が設置される設置部１０は、境界線や異なる色の塗装などによって識別される矩形状の領域である。なお、設置部１０は、投影装置２０が設置される際に使用される位置決め部１２，１２を有している。
【０００９】
図２は、この実施の形態に係るスクリーン上に設置された投影装置により画像の投影を行っているときの状態を示す斜視図である。図２に示すように、スクリーン部材４の上面６に設けられた設置部１０には、投影装置２０が設置されている。投影装置２０が備える筐体の前面に設けられた投影窓２２から投射された光束は、投影面８上に照射されて投影画像Ｐを結像する。ここで、設置部１０は、設置部１０に設置された投影装置２０から投影面８上に投影画像Ｐを投影したときに、投影装置２０のフォーカス調整等を行わなくても、歪みのない合焦のされた良好な画像が投影面８上に結像されるような位置に配置されている。なお、当該位置は、投影装置２０の筐体が備える投影窓２２の位置や、投影装置２０が内部に備える投影ユニットの性能等から求められる位置である。従って、スクリーン２の使用者は、投影装置２０を設置部１０上に設置後に、種々の調整操作を行わなくても、合焦された良好な画像を投影面８上に投影することができる。また、設置部１０上に投影装置２０を設置することにより、投影面８の斜め上方から画像を投射することができ、また近距離での視認が可能であるため、視認範囲に過度に明るい領域（ホットスポット）が発生することを回避することができる。
【００１０】
この実施の形態に係るスクリーンによれば、スクリーン部材の上面に、投影装置が設置される設置部と、当該投影装置から投射される画像が結像される投影面とを備えているため、投影装置の設置後にフォーカス調整等を実行せずとも、歪みのない合焦のされた良好な画像を投影することができる。
【００１１】
次に、図面を参照して本発明の第２の実施の形態に係るスクリーンついて説明する。なお、この実施の形態に係るスクリーン１０２は、第１の実施の形態に係るスクリーン２が備える設置部１０とは形状の異なる設置部を備えているが、この点以外は上述のスクリーン２が備える構成と同様の構成を備えている。従って、スクリーン１０２の説明においては、スクリーン２と同様の構成については説明を省略すると共に、同一の符号を用いている。
【００１２】
図３は、スクリーン１０２の外観を示す斜視図である。図３に示すように、スクリーン１０２は、プラスチック等の低熱伝導部材からなる平板状のスクリーン部材１０４を備えている。このスクリーン部材１０４は、上面１０６に投影面８を備えるとともに、スクリーン部材の四辺のうちの一辺に矩形状の切り欠きによって形成された設置部１１０を備えている。投影装置２０は、設置部１１０に対して、当該切り欠きの開口側から図３に示す矢印の方向にスライドされるようにして設置される。設置部１１０は、投影装置２０の底面の幅と略同一の幅を有しており、設置された投影装置２０を投影方向が変化しない程度に固定する。
【００１３】
ここで、設置部１１０は、設置部１１０に設置された投影装置２０から投影面８上に画像を投影したときに、投影装置２０のフォーカス調整等を行わなくても、歪みのない合焦のされた良好な画像が投影面８上に結像されるような位置に形成されている。従って、この実施の形態に係るスクリーンによれば、投影装置の設置後にフォーカス調整等を実行せずとも、良好な画像を投影することができる。
【００１４】
次に、図面を参照して本発明の第３の実施の形態に係るスクリーンついて説明する。なお、この実施の形態に係るスクリーン２０２は、第１の実施の形態に係るスクリーン２が備える設置部１０とは形状の異なる設置部を備えているが、この点以外は上述のスクリーン２が備える構成と同様の構成を備えている。従って、スクリーン２０２の説明においては、スクリーン２と同様の構成については説明を省略すると共に、同一の符号を用いている。
【００１５】
図４は、スクリーン２０２の外観を示す斜視図である。図４に示すように、スクリーン２０２は、プラスチック等の低熱伝導部材からなる平板状のスクリーン部材２０４を備えている。このスクリーン部材２０４は、上面２０６に投影面８及び投影装置２０が装着される設置部としての設置凸部２１０，２１０を備えている。投影装置２０は、設置凸部２１０に対して、スクリーン部材２０４の上方から図４に示す矢印の方向に降下させるようにして設置される。なお、投影装置２０が備える筐体は、底面に設置凸部２１０が挿入される図示しない凹部を備えており、当該凹部に設置凸部２１０が挿入されることにより、投影装置２０がスクリーン部材２０４の上面２０６上において設置位置が固定される。なお、この実施の形態においては、スクリーン部材２０４上に２つの設置凸部２１０，２１０を設けているが、設置数には自由度がある。
【００１６】
ここで、設置凸部２１０は、設置凸部２１０に設置された投影装置２０から投影面８上に画像を投影したときに、投影装置２０のフォーカス調整等を行わなくても、歪みのない合焦のされた良好な画像が投影面８上に結像されるような位置に形成されている。従って、この実施の形態に係るスクリーンによれば、投影装置の設置後にフォーカス調整等を実行せずとも、良好な画像を投影することができる。
【００１７】
次に、図面を参照して本発明の第４の実施の形態に係るスクリーンついて説明する。なお、この実施の形態に係るスクリーン３０２は、第１の実施の形態に係るスクリーン２が備える設置部１０と同様の設置部を２つ備えているが、この点以外は上述のスクリーン２が備える構成と同様の構成を備えている。従って、スクリーン３０２の説明においては、スクリーン２と同様の構成については説明を省略すると共に、同一の符号を用いている。
【００１８】
図５は、この実施の形態に係るスクリーン３０２の外観を示す斜視図である。図５に示すように、スクリーン３０２は、プラスチック等の低熱伝導部材からなる平板状のスクリーン部材３０４を備えている。このスクリーン部材３０４は、上面３０６に投影面８及びそれぞれに投影装置２０が設置される設置部３１０，３１１を備えている。ここで、設置部３１０，３１１は、投影面８を挟むようにして設置されている。なお、設置部３１０，３１１は、第１の実施の形態に係るスクリーン２が備える設置部１０と同様の構成を有するものである。
【００１９】
図５に示すように、投影装置２０，２０は、設置部３１０，３１１に対して、図中の矢印の方向に降下させるようにして設置される。このとき、２つの投影装置２０，２０は互いに向かい合うように設置され、共に投影面８上に投影画像を投影する。ここで、設置部３１０，３１１は、設置部３１０，３１１に設置された投影装置２０，２０から投影面８上に画像を投影したときに、両投影装置２０のフォーカス調整等を行わなくても、歪みのない合焦のされた良好な画像が投影面８上に結像されるような位置に配置されている。
【００２０】
また、設置部３１０，３１１のそれぞれに投影装置２０，２０が設置された場合には、投影面８上に２つの画像を同時に投影することができる。従って、同一の画像（ただし一方の投影装置２０から投影される画像は上下反転されている）を投影面８上に投影することにより、例えば周囲が明るい場合においても鮮明な画像を投影面８上に結像することができる。また、各投影装置２０によって異なる画像を投影させて、２つの画像を重ね合わせて表示することなどができる。この場合に、２つの投影装置の設置位置及び投影面位置が固定されているため、投影画像がズレることなく、重ね合せることができる。なお、投影装置の投影方向の違いによる画像の回転などの投影画像の調整は、手動で行ってもよいし、投影装置の設置位置を図示しない検出手段により検出し、検出結果に基づいて行うようにしてもよい。
【００２１】
以上より、この実施の形態に係るスクリーンによれば、スクリーン部材の上面に、投影装置が設置される設置部を２つ備えると共に、当該投影装置から投射される画像が結像される投影面とを備えているため、両設置部に投影装置を設置した場合には、フォーカス調整等を実行せずとも、各投影装置から良好な画像を投影して画像の重ね合わせを行うことができる。
【００２２】
次に、図面を参照して本発明の第５の実施の形態に係るスクリーンついて説明する。図６は、この実施の形態に係るスクリーン４０２の構成を示す断面図である。なお、図６は、スクリーン４０２の中央部の長手方向における断面図である。図６に示すように、スクリーン４０２は、プラスチック等の低熱伝導部材からなる平板状のスクリーン部材４０４を備えている。このスクリーン部材４０４は、上面４０６に投影面４０８及び投影装置２０が設置される設置部４１０を備えている。なお、投影面４０８は、上述の投影面８と同一の構成を備えるものである。また、設置部４１０は、上述の設置部１０などと同様に、設置部４１０に設置された投影装置２０から投影面４０８上に画像を投影したときに、投影装置２０のフォーカス調整等を行わなくても、歪みのない合焦のされた良好な画像が投影面４０８上に結像されるような位置に形成されている。
【００２３】
設置部４１０は、矩形状の開口を有し、第１の接触防止部材４１２として機能する。当該開口からは、スクリーン部材４０４の内部に収容された高熱伝導部材からなる放熱部材４１４の熱伝導部４１６が露出している。この放熱部材４１４は、スクリーン部材４０４の下面４２０側から部分的に露出している平板状の放熱部４１８を備えており、熱伝導部４１６から伝熱した熱を放熱部４１８から放熱する。なお、この放熱部４１８は、スクリーン４０２の短手方向に延びる複数の第２の接触防止部材４２２によってその一部が覆われている。また、スクリーン４０２においては、第１の接触防止部材４１２及び第２の接触防止部材４２２は、スクリーン部材４０４の一部から形成されているが、これらの部材は、他の低熱伝導部材から個別に形成されていてもよい。
【００２４】
投影装置２０が設置部４１０に設置された場合には、投影装置２０の底面に設けられた伝熱部が、設置部４１０において露出している放熱部材４１４の熱伝導部４１６に対して接触する。従って、投影装置２０の内部で発生した熱は、熱伝導部４１６を介して放熱部材４１４に効果的に伝熱される。このようにして放熱部材４１４に伝熱された熱は、スクリーン部材４０４の下面４２０側に一部を露出している放熱部４１８から効果的に放熱される。
【００２５】
ここで、第１の接触防止部材４１２に設けられた矩形状の開口の幅は、スクリーン４０２の使用者の指の大きさより小さく形成されている。第１の接触防止部材４１２がこのように形成されることにより、画像の投影を終了した投影装置２０を設置部４１０から取り外したときに、設置部４１０から露出している高温状態の熱伝導部４１６を、スクリーン４０２の使用者が誤って触れてしまうことなどが防止される。
【００２６】
また、図６に示すように、第２の接触防止部材４２２は、放熱部４１８が放熱できるように複数の開口を有しているが、当該開口の幅も、スクリーン４０２の使用者の指の大きさより小さく形成されている。従って、投影装置２０の使用中または取り外し後などに、スクリーン部材４０４の下面４２０側から露出している高温状態の放熱部４１８を、スクリーン４０２の使用者が誤って触れてしまうことなどが防止される。
【００２７】
なお、放熱部材４１４と、スクリーン部材４０４や第１の接触防止部材４１２及び第２の接触防止部材４２２との間には、図示しない断熱シートが配置されているため、高温に熱せられた放熱部材４１４の熱がスクリーン部材４０４等に伝熱することはない。
【００２８】
この実施の形態に係るスクリーンによれば、スクリーン部材の上面に、投影装置が設置される設置部と、当該投影装置から投射される画像が結像される投影面とを備えているため、当該投影装置のフォーカス調整等を実行せずとも、歪みのない合焦のされた良好な画像を投影することができる。また、この実施の形態に係るスクリーンによれば、当該設置部から露出する熱伝導部と、スクリーン部材の下面から露出する放熱部とを備える放熱部材を備えているため、投影装置の内部で発生した熱を効果的に放熱することができる。また、この実施の形態に係るスクリーンによれば、第１の接触防止部材及び第２の接触防止部材を備えているため、スクリーンの使用者が、高温状態にある熱伝導部や放熱部を誤って触れてしまうことなどを防止することができる。
【００２９】
次に、図面を参照して本発明の第６の実施の形態に係るスクリーンついて説明する。なお、スクリーン５０２は、第５の実施の形態に係るスクリーン４０２とは形状の異なる設置部や放熱部材を備えているが、これらの点以外は上述のスクリーン４０２が備える構成と同様の構成を備えている。従って、スクリーン５０２の説明においては、スクリーン４０２と同様の構成については説明を省略すると共に、同一の符号を用いている。
【００３０】
図７は、この実施の形態に係るスクリーン５０２の構成を示す断面図である。なお、図７は、スクリーン５０２の中央部の長手方向における断面図である。図７に示すように、スクリーン５０２は、プラスチック等の低熱伝導部材からなる平板状のスクリーン部材５０４を備えている。このスクリーン部材５０４は、上面５０６に投影面４０８及び投影装置２０が設置される設置部としての設置凸部５１０を備えている。なお、設置凸部５１０は、上述の設置凸部２１０と同様に、設置凸部５１０に設置された投影装置２０から投影面４０８上に画像を投影したときに、投影装置２０のフォーカス調整等を行わなくても、歪みのない合焦のされた良好な画像が投影面４０８上に結像されるような位置に形成されている。
【００３１】
図７に示すように、円柱形状を有する設置凸部５１０の内部には、高熱伝導部材からなる放熱部材５１４に形成された円柱形状の熱伝導部５１６が収容されている。投影装置２０が設置凸部５１０に設置された場合には、投影装置２０の底面に設けられた伝熱部が、放熱部材５１４の熱伝導部５１６に対して接触するため、投影装置２０の内部で発生した熱が放熱部材５１４に効果的に伝熱される。このようにして放熱部材５１４に伝熱された熱は、スクリーン部材５０４の下面側から一部を露出している放熱部４１８から効果的に放熱される。
【００３２】
ここで、設置凸部５１０は、熱伝導部５１６の上端より若干上方へ突出した第１の接触防止部材５１２を備えているため、設置凸部５１０から露出している高温状態の熱伝導部５１６を、スクリーン５０２の使用者が誤って触れてしまうことなどが防止される。
【００３３】
なお、放熱部材５１４の放熱部４１８は、その一部が第２の接触防止部材４２２によって覆われるため、スクリーン５０２の使用者が高温状態の放熱部４１８を誤って触れてしまうことなどが防止される。
【００３４】
この実施の形態に係るスクリーンによれば、当該投影装置のフォーカス調整等を実行せずとも、歪みのない合焦のされた良好な画像を投影することができる。また、この実施の形態に係るスクリーンによれば、投影装置の内部で発生した熱を効果的に放熱することができると共に、スクリーンの使用者が、高温状態にある熱伝導部や放熱部を誤って触れてしまうことなどを防止することができる。
【図面の簡単な説明】
【００３５】
【図１】第１の実施の形態に係るスクリーンの外観を示す斜視図である。
【図２】第１の実施の形態に係るスクリーンに投影装置が設置されたときの状態を示す斜視図である。
【図３】第２の実施の形態に係るスクリーンの外観を示す斜視図である。
【図４】第３の実施の形態に係るスクリーンの外観を示す斜視図である。
【図５】第４の実施の形態に係るスクリーンの外観を示す斜視図である。
【図６】第５の実施の形態に係るスクリーンの構成を示す断面図である。
【図７】第６の実施の形態に係るスクリーンの構成を示す断面図である。
【符号の説明】
【００３６】
２，１０２，２０２，３０２，４０２，５０２…スクリーン、４，１０４，２０４，３０４，４０４，５０４…スクリーン部材、８，２０８，４０８…投影面、１０，１１０，３１０，３１１，４１０…設置部、２０…投影装置、２１０，５１０…設置凸部、４１２，５１２…第１の接触防止部材、４１４，５１４…放熱部材、４１６，５１６…熱伝導部、４１８…放熱部、４２２…第２の接触防止部材、Ｐ…投影画像
【図１】
2010139614.tif 000003
【図２】
2010139614.tif 000004
【図３】
2010139614.tif 000005
【図４】
2010139614.tif 000006
【図５】
2010139614.tif 000007
【図６】
2010139614.tif 000008
【図７】
2010139614.tif 000009